(57)【要約】【課題】ユーザがタイマーを登録する時に、複数のタイマーを登録することができ、タイマー時間、タイマー残り時間、タイムアウトを放送受信装置のモニタにＯＳＤ表示するリモコン装置・放送受信装置及びタイマー管理方法を提供する。  【解決手段】リモコン装置は、複数のタイマー登録が可能なタイマー登録手段と、タイマー登録の件数が所定件数以上のときにタイマー時間を放送受信装置に送信する送信手段と、リモコン装置の表示エリアに表示する表示手段を備え、また放送受信装置は、タイマー登録をリモコン装置から受信する受信手段と、モニタ−に表示する表示手段を備え、タイマー登録の件数が所定件数以下であればタイマー登録のタイマー時間、タイマー残り時間、タイムアウトをリモコン装置の表示エリアに表示し、タイマー登録の件数が所定件数以上であればタイマー登録のタイマー時間、タイマー残り時間、タイムアウトを放送受信装置のモニターに表示する。【選択図】図４
2009094875.tif 000002
【特許請求の範囲】
【請求項１】
表示手段を有するリモコン装置であって、
複数のタイマー登録が可能な第１のタイマー登録手段と、
登録されたタイマー時間を放送受信装置に送信する送信手段と、
を備えたことを特徴とするリモコン装置。
【請求項２】
前記タイマー登録の件数が所定件数以上のときに前記タイマー時間を放送受信装置に送信することを特徴とする請求項１に記載のリモコン装置。
【請求項３】
前記リモコン装置は、前記タイマー時間を表示する第１のタイマー時間表示手段を備え、
前記タイマー登録をしたときに前記タイマー登録の件数が所定件数以下であれば前記第１のタイマー時間表示手段により前記タイマー時間を表示することを特徴とする請求項１または請求項２に記載のリモコン装置。
【請求項４】
前記リモコン装置は、タイマー時間経過中にタイマー残り時間を表示する第１のタイマー残り時間表示手段を備え、
前記第１のタイマー残り時間表示手段は、前記タイマー登録の件数が所定件数以下であればタイマー時間経過中にタイマー残り時間を表示することを特徴とする請求項１から請求項３のいずれか一項に記載のリモコン装置。
【請求項５】
前記リモコン装置は、タイムアウトを検出する第１のタイムアウト検出手段と、
前記第１のタイムアウト検出手段によりタイムアウトを検出したときにタイムアウトを表示する第１のタイムアウト表示手段を備え、
前記第１のタイムアウト検出手段によりタイムアウトを検出したときに前記タイマー登録の件数が所定件数以下であれば前記第１のタイムアウト表示手段によりタイムアウトを表示することを特徴とする請求項１から請求項４のいずれか一項に記載のリモコン装置。
【請求項６】
請求項１から請求項５のいずれかに記載のリモコン装置の前記送信手段により送信された前記タイマー時間を受信する受信手段と、
前記受信手段で受信した前記タイマー時間を登録する第２のタイマー登録手段とを備えることを特徴とする放送受信装置。
【請求項７】
前記放送受信装置は、前記タイマー時間を表示する第２のタイマー時間表示手段を備え、
前記タイマー登録をしたときに前記タイマー登録の件数が所定件数以上であれば前記第２のタイマー時間表示手段により前記タイマー時間を表示することを特徴とする請求項６に記載の放送受信装置。
【請求項８】
前記第２のタイマー時間表示手段が前記タイマー時間を表示するときは、前記タイマー登録した順に表示することを特徴とする請求項７に記載の放送受信装置。
【請求項９】
前記放送受信装置は、タイマー時間経過中にタイマー残り時間を表示する第２のタイマー残り時間表示手段を備え、
前記第２のタイマー残り時間表示手段は、前記タイマー登録の件数が所定件数以上であればタイマー時間経過中にタイマー残り時間を表示することを特徴とする請求項5から請求項８のいずれか一項に記載の放送受信装置。
【請求項１０】
前記第２のタイマー残り時間表示手段がタイマー残り時間を表示するときは、前記タイマー登録した順に表示することを特徴とする請求項９に記載の放送受信装置。
【請求項１１】
前記放送受信装置は、タイムアウトを検出する第２のタイムアウト検出手段と、
前記第２のタイムアウト検出手段によりタイムアウトを検出したときにタイムアウトを表示する第２のタイムアウト表示手段を備え、
前記第２のタイムアウト検出手段によりタイムアウトを検出したときに前記タイマー登録の件数が所定件数以上であれば前記第２のタイムアウト表示手段によりタイムアウトを表示することを特徴とする請求項５から請求項１０のいずれか一項に記載の放送受信装置。
【請求項１２】
前記第２のタイムアウト表示手段がタイムアウトを表示するときは、タイムアウトした順に表示することを特徴とする請求項１１に記載の放送受信装置。
【請求項１３】
放送受信装置本体と表示手段を有し前記放送受信装置本体を操作するリモコン装置とを備える放送受信装置であって、
前記リモコン装置は複数のタイマー登録が可能なタイマー登録手段と、
前記タイマー登録の件数が所定件数以上のときにタイマー時間を放送受信装置本体に送信する送信手段と、
前記放送受信装置本体は、送信されたタイマー時間を当該放送受信装置本体に備わる表示部に表示することを特徴とする放送受信装置。
【請求項１４】
リモコン装置におけるタイマー管理方法であって、
複数のタイマー登録が可能なタイマー登録ステップと、
前記タイマー登録の件数が所定件数以上のときにタイマー時間を放送受信装置に送信する送信ステップと、
を備えたことを特徴とするタイマー管理方法。
【発明の詳細な説明】
【技術分野】
【０００１】
本発明は、リモコン装置、放送受信装置、及びタイマー管理方法に係り、特にタイマーの登録が可能なリモコン装置とそのようなリモコン装置を有する放送受信装置及びタイマー管理方法に関するものである。本発明のタイマーとは、あらかじめ設定された時間(以下タイマー時間という)を登録(以下タイマー登録という)すると、タイマー時間の残り時間(以下タイマー残り時間という)やタイマー時間が経過したとき(以下タイムアウトという)を知らせることができる機能である。
【背景技術】
【０００２】
従来の放送受信装置のタイマーは、ユーザがリモコン装置(以下リモコンという)のボタンからタイマー登録を行い、タイムアウトになったときに、その放送受信装置に対して何らかの操作を行なうようにしていた。例えば、特許文献１に開示の技術では、リモコンからタイマー登録することができ、タイムアウトしたときにリモコンの発光体の点滅表示やブザーの鳴動が行なわれ、更にリモコンからテレビジョン装置に対して電源オンオフなどの操作信号を送信して、テレビジョン装置の電源オンオフ操作を自動的に行うことができるリモコンを提供するようにしている。
【０００３】
【特許文献１】特開２００１−２３８２７６号公報
【発明の開示】
【発明が解決しようとする課題】
【０００４】
しかしながら、このようなリモコンでは複数のタイマー登録が行われた場合には、タイムアウトするたびにリモコンの発光体の点滅表示やブザーの鳴動が行なわれるので、発光体の点滅表示やブザー鳴動がどのタイマー時間に対してのタイムアウトを知らせるものかわからなくなってしまうことがあった。
【０００５】
本発明の目的は、タイマー登録が複数の場合は、タイマー時間、タイマー残り時間、タイムアウトを放送受信装置のモニタに表示することで、ユーザにわかりやすくタイマー時間、タイマー残り時間、タイムアウトを知らせることができるリモコン装置・放送受信装置及びタイマー管理方法を提供することである。
【課題を解決するための手段】
【０００６】
本発明のリモコン装置は、表示手段を有するリモコン装置であって、複数のタイマー登録が可能な第１のタイマー登録手段と、タイマー時間を放送受信装置に送信する送信手段と、
を備えたことを特徴としている。
また、本発明のリモコン装置は、前記タイマー登録の件数が所定件数以上のときにタイマー時間を放送受信装置に送信することを特徴としている。
また、本発明の前記リモコン装置は、タイマー時間を表示する第１のタイマー時間表示手段を備え、前記タイマー登録をしたときに前記タイマー登録の件数が所定件数以下であれば前記第１のタイマー時間表示手段によりタイマー時間を表示することを特徴としている。
また、本発明の前記リモコン装置は、タイマー時間経過中にタイマー残り時間を表示する第１のタイマー残り時間表示手段を備え、前記第１のタイマー残り時間表示手段は、前記タイマー登録の件数が所定件数以下であればタイマー時間経過中にタイマー残り時間を表示することを特徴としている。
また、本発明の前記リモコン装置は、タイムアウトを検出する第１のタイムアウト検出手段と、前記第１のタイムアウト検出手段によりタイムアウトを検出したときにタイムアウトを表示する第１のタイムアウト表示手段を備え、前記第１のタイムアウト検出手段によりタイムアウトを検出したときに前記タイマー登録の件数が所定件数以下であれば前記第１のタイムアウト表示手段によりタイムアウトを表示することを特徴としている。
また、本発明の放送受信装置は、リモコン装置の前記送信手段により送信されたタイマー時間を受信する受信手段と、前記受信手段で受信したタイマー時間を登録する第２のタイマー登録手段とを備えることを特徴としている。
また、本発明の前記放送受信装置は、タイマー時間を表示する第２のタイマー時間表示手段を備え、前記タイマー登録をしたときに前記タイマー登録の件数が所定件数以上であれば前記第２のタイマー時間表示手段によりタイマー時間を表示することを特徴としている。
また、本発明の放送受信装置は、前記第２のタイマー時間表示手段がタイマー時間を表示するときは、前記タイマー登録した順に表示することを特徴としている。
また、本発明の前記放送受信装置は、タイマー時間経過中にタイマー残り時間を表示する第２のタイマー残り時間表示手段を備え、前記第２のタイマー残り時間表示手段は、前記タイマー登録の件数が所定件数以上であればタイマー時間経過中にタイマー残り時間を表示することを特徴としている。
また、本発明の放送受信装置は、前記第２のタイマー残り時間表示手段がタイマー残り時間を表示するときは、前記タイマー登録した順に表示することを特徴としている。
また、本発明の前記放送受信装置は、タイムアウトを検出する第２のタイムアウト検出手段と、前記第２のタイムアウト検出手段によりタイムアウトを検出したときにタイムアウトを表示する第２のタイムアウト表示手段を備え、前記第２のタイムアウト検出手段によりタイムアウトを検出したときに前記タイマー登録の件数が所定件数以上であれば前記第２のタイムアウト表示手段によりタイムアウトを表示することを特徴としている。
また、本発明の放送受信装置は、前記第２のタイムアウト表示手段がタイムアウトを表示するときは、タイムアウトした順に表示することを特徴としている。
また、本発明の放送受信装置本体と表示手段を有し前記放送受信装置本体を操作するリモコン装置とを備える放送受信装置であって、前記リモコン装置は複数のタイマー登録が可能なタイマー登録手段と、前記タイマー登録の件数が所定件数以上のときにタイマー時間を放送受信装置本体に送信する送信手段と、前記放送受信装置本体は、送信されたタイマー時間を当該放送受信装置本体に備わる表示部に表示することを特徴としている。
また、本発明のタイマー管理方法は、リモコン装置におけるタイマー管理方法であって、複数のタイマー登録が可能なタイマー登録ステップと、前記タイマー登録の件数が所定件数以上のときにタイマー時間を放送受信装置に送信する送信ステップと、を備えたことを特徴としている。
【発明の効果】
【０００７】
本発明によれば、タイマー登録が複数の場合は、タイマー時間、タイマー残り時間、タイムアウトを放送受信装置のモニタに表示することで、ユーザにわかりやすくタイマー時間、タイマー残り時間、タイムアウトを知らせることができる。
【発明を実施するための最良の形態】
【０００８】
以下、本発明の実施形態について図面を参照して説明する。
（第１の実施の形態）
本発明の第１の実施形態は、タイマー登録のタイマー時間、タイマー残り時間、タイムアウトの表示をするときに、タイマー登録の件数が１件であればリモコンの表示エリアにタイマー時間、タイマー残り時間、タイムアウトを表示し、タイマー登録件数が２件以上であれば放送受信装置にタイマー時間を送信し、ＴＶモニターにタイマー時間、タイマー残り時間、タイムアウトをＯＳＤ表示する実施形態である。図1は、本発明の第１の実施形態である放送受信装置の主要な構成を示す機能ブロック図である。この放送受信装置１は、映像及び音声からなる放送番組と放送番組情報とを各放送局から受信する。また、放送受信装置１は、タイマー登録やタイムアウト検出のタイマー管理機能を備えている。
【０００９】
図１の放送受信装置１は、アンテナ２で受信した放送電波を映像信号及び音声信号に変換し、ＴＶモニター３はこれら映像信号及び音声信号に基づき映像及び音声を出力する。ユーザはリモコン４を用いて放送受信装置１を遠隔操作して、放送受信装置１の電源オンオフ操作や視聴する放送番組のチャンネル選択を行うことができる。更にユーザはリモコン４を用いてタイマー登録、タイマー登録のタイマー時間とタイマー残り時間の表示、更にタイマー登録をキャンセルすることができる。
【００１０】
以下、図１の放送受信装置１の構成について説明する。
【００１１】
図１に示すデジタルチューナ１１は、放送電波を適宜選択的に復調してトランスポートストリームパケット(ＴＳパケット)をＴＳデコーダ(ＤeＭｕｘ処理部)１２に出力する。ＴＳデコーダ１２は、このＴＳパケットから所望の放送番組に関する映像データ及び音声データを抽出する。抽出された映像データ及び音声データは、ＭＰＥＧ−２によって符号化されているデジタルデータである。音声処理部１３はＴＳデコーダ１２からの符号化された音声データを復号化し、また、映像処理部１４はＴＳデコーダ１２からの符号化された映像データを復号化する。
【００１２】
表示処理部１５は、映像処理部１４にて復号化された映像データを入力し、ＴＶモニター３に出力する。また、ＯＳＤ処理部１６がＯＳＤ表示画面を生成し、表示処理部１５に出力したときは、表示処理部１５は映像データにＯＳＤ処理部１６にて生成されたＯＳＤ表示の画面を重ね合わせた後、その重ね合わせた映像データをテレビジョン信号に変換してＴＶモニター３に出力する。このＯＳＤ表示の画面には、タイマー登録の件数が２件以上のときに表示されるタイマ登録画面、タイマー残り時間画面、タイムアウト画面が含まれる。また、音声処理部１３にて復号化された音声データを基に、ＴＶモニター３に設けられたスピーカから音声が出力される。
【００１３】
制御部１７は、ユーザによるリモコン４の操作に基づき電源オンオフや視聴する放送番組のチャンネル選択の操作信号など各部(１１〜１６)の動作を制御するようになっている。
加えて、制御部１７には、タイマー管理を行うタイマー管理処理部２４が設けられている。
制御部１７は、リモコン受信部２０から、タイマー登録指令、タイマー残り時間表示指令およびタイマー登録のキャンセル指令の信号を入力し処理を行うことができる。メモリ１８は放送受信装置１の基本機能を実現するためのプログラムや制御部１７が実行するプログラムとこのプログラムで用いられるデータ、リモコン４から受信したタイマー時間を記憶するメモリである。ＨＤＤ(ハードディスクドライブ)１９は、制御部１７が実行するプログラムやこのプログラムで用いられるデータを記憶する。
【００１４】
リモコン受信部２０は、リモコン４からの操作信号や指令信号である赤外線によるリモコンコードを受信する。電源２１は、電源が必要な箇所へ電源を供給する装置であり、電源制御部２２により電源の供給が制御される。以上の各部１１〜２２はシステムバス２３により接続されている。
【００１５】
図２は本発明の第１の実施形態であるリモコン４の操作ボタンの概略配置を示したリモコン４の外観図である。ユーザがこれら操作ボタンのいずれかを押下し操作すると、放送受信装置１はその操作信号を受信し操作ボタンに応じた動作を行う。電源ボタン４１は放送受信装置１の電源をオン及びオフするためのボタンである。画面表示ボタン４２は選択した放送番組のチャンネル番号やタイマー残り時間の表示操作を行なうためのボタンである。タイマーボタン４３はタイマー登録やタイマー残り時間表示を操作するためのボタンで、タイマー残り時間を表示するときは画面表示ボタン４２の前に押下するボタンである。キャンセルボタン４４は操作のキャンセルやタイマー登録をキャンセルするためのボタンである。表示エリア４５はタイマー時間、タイマー残り時間、タイムアウトを表示するための表示エリアである。チャンネルボタン４６はユーザが視聴する放送番組のチャンネルを選択するためのボタンであり、またタイマー登録するときはタイマー時間を入力するためのボタンである。カーソル移動ボタン４７ａ〜４７ｄはＴＶモニター３にＯＳＤ表示された選択項目を選択するためのカーソルを上下左右へと移動させるためのボタンである。決定ボタン４８はこのような選択項目を確定するためのボタンである。
【００１６】
図３は本発明の第１の実施形態であるリモコン４の主要な構成を示す機能ブロック図である。以下、図３に示すリモコン４の構成について説明する。リモコン操作部４０ａは、リモコン４の操作ボタンからの操作信号の判別を行なう。リモコン制御部４０ｂは、判別された操作信号をリモコンコードへの変換や、タイマー登録指令、タイマー残り時間表示指令およびタイマー登録のキャンセル指令の処理を行うことができる。メモリ４０ｃはリモコン４の基本機能を実現するためのプログラムやリモコン制御部４０ｂが実行するプログラムとこのプログラムで用いられるデータ、リモコン操作部４０ａから入力したタイマー時間を記憶するメモリである。リモコン表示部４０ｄは、リモコン制御部４０ｂから出力されるタイマー時間、タイマー残り時間、タイムアウトの表示を行う。リモコン通信部４０ｅは、リモコン制御部４０ｂから出力される操作信号であるリモコンコードを赤外線信号に変換して出力する。また、リモコン制御部４０ｂには、リモコンのタイマー管理を行うリモコンタイマー管理処理部４０ｆが設けられている。
【００１７】
図４と図５は、本発明の第１の実施形態における、タイマー登録とタイマー残り時間表示の処理の流れを示すフローチャートである。図４はリモコン４のリモコンタイマー管理処理部４０ｆで実行されるタイマー処理を示すフローチャートであり、図５は放送受信装置１の
タイマー管理処理部２４で実行されるタイマー処理を示すフローチャートである。
【００１８】
ユーザが図２に示すリモコン４の電源ボタン４１を押下すると放送受信装置１の電源が投入される。このような放送受信装置１の電源がオンとなっている状態において、ユーザがリモコン４のタイマーボタン４３を押下すると、図３に示すリモコン操作部４０ａは、リモコン４の操作ボタンからの操作信号の判別を行う。タイマーボタン４３が押下された後にチャンネルボタン４６のいずれかのボタンが押下されていればタイマー登録の信号、またはタイマーボタン４３が押下された後に画面表示ボタン４２が押下されていればタイマー残り時間表示の信号をリモコン制御部４０ｂに出力する。リモコン制御部４０ｂはタイマー登録またはタイマー残り時間表示の操作信号が入力されると、リモコンタイマー管理処理部４０ｆのタイマー処理を開始する。
【００１９】
まず、図３に示すリモコン４のリモコン制御部４０ｂのリモコンタイマー管理処理部４０ｆで実行されるタイマー処理を図４のフローチャートを参照して以下説明する。
【００２０】
ステップａ１;
リモコン操作部４０ａからタイマー登録の信号、またはタイマー残り時間表示の信号がリモコンタイマー管理処理部４０ｆに入力されタイマー処理が開始されると、まず、リモコンタイマー管理処理部４０ｆは、タイマー登録の操作信号かタイマー残り時間表示の操作信号かをチェックする。
【００２１】
ステップａ２;
ステップａ１においてタイマー登録の操作信号であると判定されたときは、ステップａ２に進み、タイマー登録の件数をカウントするタイマーカウンタに１を加算する。
【００２２】
ステップａ３;
次に、リモコンタイマー管理処理部４０ｆは、タイマー登録件数が１件(タイマーカウンタが１)であるかチェックする。タイマー登録件数が１件であると判定されれば、メモリ４０ｃにタイマー登録のタイマー時間とタイマー終了時刻を記憶するステップａ４の処理を行う。
【００２３】
ステップａ４;
ステップａ４では、ユーザがチャンネルボタン４６を使用して入力したタイマー時間をリモコン操作部４０ａから順々に入力し、リモコンタイマー管理処理部４０ｆは、入力したタイマー時間とタイマー終了時刻(＝現在時刻＋タイマー時間)をメモリ４０ｃに記憶する。例えば、ユーザが図２に示すチャンネルボタン４６から０→１→３→０→０→０と入力した場合は、タイマー時間は１時間３０分となり、現在時刻が１７時０２分であればタイマー終了時刻は１８時３２分(＝１７時０２分＋１時間３０分)となる。
【００２４】
ステップａ５;
次にステップａ５に進み、リモコンタイマー管理処理部４０ｆは、ステップａ４で記憶したタイマー時間をメモリ４０ｃから取り出しリモコン表示部４０ｄに出力すると、リモコン表示部４０ｄは表示エリア４５にタイマー時間を表示する。
【００２５】
ステップａ６;
次にステップａ６に進み、リモコンタイマー管理処理部４０ｆは、図１０に示すリモコンのタイムアウト処理を起動し、本処理を終了する。
【００２６】
ステップａ７;
ステップａ３においてタイマー登録件数が２件以上であると判定されたときはステップａ７に進み、リモコンタイマー管理処理部４０ｆは、タイマー登録指令をリモコンコードに変換しリモコン通信部４０ｅに出力する。リモコン通信部４０ｅは、タイマー登録指令のリモコンコードを赤外線信号に変換して放送受信装置１に送信する。
【００２７】
ステップａ８;
次にステップａ８に進み、リモコンタイマー管理処理部４０ｆは、ユーザがチャンネルボタン４６を使用して入力したタイマー時間をリモコン操作部４０ａから順々に入力する。リモコンタイマー管理処理部４０ｆは、入力したタイマー時間をリモコンコードに変換し、リモコン通信部４０ｅに出力する。リモコン通信部４０ｅは、タイマー時間のリモコンコードを赤外線信号に変換して放送受信装置１に送信し、本処理を終了する。
【００２８】
ステップａ９;
ステップａ１においてタイマー登録でないと判定されたときは、タイマー残り時間表示の操作信号であるので、タイマー残り時間の表示をリモコン４か放送受信装置１のどちらに表示するかを判定するためにステップａ９に進み、タイマー登録件数が１件(タイマーカウンタが１)であるかをチェックする。
【００２９】
ステップａ１０;
ステップａ９においてタイマー登録件数が１件であると判定されたときはステップａ１０に進み、リモコンタイマー管理処理部４０ｆは、メモリ４０ｃからタイマー終了時刻を取り出し、タイマー残り時間(＝タイマー終了時刻−現在時刻)を計算し、タイマー残り時間をリモコン表示部４０ｄに出力する。リモコン表示部４０ｄは表示エリア４５にタイマー残り時間を表示する。
【００３０】
ステップａ１１;
次にステップａ１１に進み、リモコンタイマー管理処理部４０ｆは、予め設定した所定時間が経過したかをチェックする。所定時間が経過していると判定されたときは、リモコンタイマー管理処理部４０ｆは、タイマー残り時間の表示を消去し、本処理を終了する。
【００３１】
ステップａ１２;
ステップａ１１において所定時間が経過していないと判定されたときはステップａ１２に進み、リモコンタイマー管理処理部４０ｆは、一定時間待ち状態とし、タイマー残り時間の表示を更新するためにステップａ１０に戻る。
【００３２】
ステップａ１３;
ステップａ９においてタイマー登録件数が２件以上であると判定されたときはステップａ１３に進み、リモコンタイマー管理処理部４０ｆは、タイマー残り時間ＯＳＤ表示指令をリモコンコードに変換し、リモコン通信部４０ｅに出力する。リモコン通信部４０ｅは、タイマー残り時間ＯＳＤ表示指令のリモコンコードを赤外線信号に変換して放送受信装置１に送信し、本処理を終了する。
【００３３】
ステップａ７においてリモコン４から送信されたタイマー登録指令、またはステップａ１３においてリモコン４から送信されたタイマー残り時間ＯＳＤ表示指令の信号である赤外線によるリモコンコードを放送受信装置１のリモコン受信部２０で受信すると、受信した赤外線によるリモコンコードをディジタルデータに変換し、制御部１７に出力する。制御部１７はタイマー登録指令またはタイマー残り時間ＯＳＤ表示指令のデータを入力すると、そのデータをタイマー管理処理部２４に出力しタイマー処理を開始する。以下、放送受信装置１で実行されるタイマー処理を図５に示すフローチャートのステップ順に基づいて説明する。
【００３４】
ステップｂ１;
まず、タイマー管理処理部２４は、タイマー登録指令またはタイマー残り時間ＯＳＤ表示指令かをチェックする。タイマー登録指令であれば、メモリ１８にタイマー時間とタイマー終了時刻を記憶するステップb２の処理に進み、タイマー残り時間ＯＳＤ表示指令であればタイマー残り時間を記憶するステップb５の処理に進む。
【００３５】
ステップｂ２;
ステップｂ２において、タイマー管理処理部２４は、既に登録されている図６に示すタイマー登録データに、リモコン受信部２０から出力されたタイマー時間とタイマー終了時刻(＝現在時刻＋タイマー時間)をタイマー登録データの既に登録されている登録番号の次の登録番号に記憶する。
【００３６】
ステップｂ３;
ステップｂ３において、タイマー管理処理部２４は、タイマー登録のタイマー時間をＴＶモニター３に表示するために、メモリ１８に記憶されている図６に示すタイマー登録データのタイマー時間を取り出し、ＯＳＤ処理部１６にタイマー時間のＯＳＤ表示指令を出力する。ＯＳＤ処理部１６は、図７に示すタイマー登録画面を生成し、タイマー登録画面を表示処理部１５に出力する。表示処理部１５は、映像処理部１４にて復号化された映像データにＯＳＤ処理部１６にて生成されたタイマー登録画面を重ね合わせ、その重ね合わせた映像データをテレビジョン信号に変換してＴＶモニター３に出力して映像表示する。
【００３７】
ステップｂ４;
ステップｂ４において、タイマー管理処理部２４は、図１１に示すタイムアウト処理を起動し、本処理を終了する。
【００３８】
ステップｂ５;
ステップｂ１においてタイマー残り時間表示指令であると判定されたときはステップｂ５に進み、タイマー管理処理部２４は、メモリ１８に記憶されている図６に示すタイマー登録データからタイマー終了時刻を取り出し、タイマー残り時間(＝タイマー終了時刻−現在時刻)を計算し、タイマー残り時間を図８に示すタイマー残り時間データに更新して記憶する。例えば、図６に示すような登録番号１の終了時刻が１７時０７分３０秒、登録番号２の終了時刻が１７時０６分３０秒、登録番号３の終了時刻が１８時３２分００秒で、現在時刻が１７時３分０秒であれば、登録番号１のタイマー残り時間は４分３０秒(＝１７時７分３０秒−１７時３分０秒)、登録番号２のタイマー残り時間は３分３０秒(＝１７時６分３０秒−１７時３分０秒)、登録番号３のタイマー残り時間は１時間２９分０秒(＝１８時３２分０秒−１７時３分０秒)となり、図８に示すようなタイマー残り時間データがメモリ１８に記憶される。
【００３９】
ステップｂ６;
タイマー管理処理部２４は、タイマー残り時間データをＴＶモニター３に表示するために、ステップｂ６においてメモリ１８からタイマー残り時間データを取り出し、ＯＳＤ処理部１６にタイマー残り時間データＯＳＤ表示指令を出力する。ＯＳＤ処理部１６は、図９に示すタイマー残り時間画面を生成し、タイマー残り時間画面を表示処理部１５に出力する。表示処理部１５は、映像処理部１４にて復号化された映像データにＯＳＤ処理部１６にて生成されたタイマー残り時間画面を重ね合わせ、その重ね合わせた映像データをテレビジョン信号に変換してＴＶモニター３に出力して映像表示する。
【００４０】
ステップｂ７;
次にステップｂ７に進みタイマー管理処理部２４は、予め設定した所定時間が経過したかをチェックする。所定時間が経過していると判定されたときは、タイマー管理処理部２４は、タイマー残り時間画面のＯＳＤ表示を消去し、本処理を終了する。
【００４１】
ステップｂ８;
また、ステップｂ７において所定時間が経過していないと判定されたときは、タイマー管理処理部２４は、一定時間待ち状態とし、タイマー残り時間画面のＯＳＤ表示を更新するためにステップｂ５に戻る。
【００４２】
次に、リモコン４で実行されるタイムアウト処理を図１０に示すフローチャートのステップ順に基づいて説明する。図４に示したステップａ６においてリモコンタイマー管理処理部４０ｆからタイムアウト処理が起動されると、図１０に示したリモコン４のタイムアウト処理が開始される。
【００４３】
ステップｃ１;
まず、リモコンタイマー管理処理部４０ｆは、メモリ４０ｃのタイマー登録データからタイマー終了時刻を取り出し、タイマー残り時間(＝タイマー終了時刻−現在時刻)を計算し、タイマー残り時間が０以下であるかをチェックする。タイマー残り時間が０以下であれば、リモコン４の表示エリア４５にタイムアウトを表示するステップｃ２の処理に進み、タイマー残り時間が０以下でなければ一定時間待ち状態とするステップｃ３の処理に進む。
【００４４】
ステップｃ２;
ステップｃ２において、リモコンタイマー管理処理部４０ｆは、タイマー残り時間が０以下となりタイムアウトとなったのでリモコン表示部４０ｄにタイムアウトを出力すると、リモコン表示部４０ｄは表示エリア４５にタイムアウトを表示し、本処理を終了する。尚、タイムアウトの処理としてブザー等の報知もするとよい。
【００４５】
ステップｃ３;
ステップｃ３においてタイマー残り時間が０でないと判定されたときは、ステップｃ３においてリモコンタイマー管理処理部４０ｆは、一定時間待ち状態とし、再度タイマー残り時間が０以下であるかをチェックするためにステップｃ１に戻る。
【００４６】
次に、放送受信装置１で実行されるタイムアウト処理を図１１に示すフローチャートのステップ順に基づいて説明する。図５に示したステップｂ４において、タイマー管理処理部２４からタイムアウト処理が起動されると、図１１に示した放送受信装置１のタイムアウト処理が開始される。
【００４７】
ステップｄ１;
まず、タイマー管理処理部２４は、メモリ１８のタイマー登録データからタイマー終了時刻を取り出し、タイマー残り時間(＝タイマー終了時刻−現在時刻)を計算し、タイマー残り時間が０以下であるかをチェックする。タイマー残り時間が０以下であれば、ＴＶモニター３にタイムアウトをＯＳＤ表示するステップｄ２の処理に進み、タイマー残り時間が０以下でなければ一定時間待ち状態とするステップｄ３の処理に進む。
【００４８】
ステップｄ２;
タイマー管理処理部２４は、タイムアウトをＴＶモニター３に表示するために、ＯＳＤ処理部１６にタイムアウトＯＳＤ表示指令を出力する。ＯＳＤ処理部１６は、図１２に示すタイムアウト画面を生成し、タイムアウト画面を表示処理部１５に出力する。表示処理部１５は、映像処理部１４にて復号化された映像データにＯＳＤ処理部１６にて生成されたタイムアウト画面を重ね合わせ、その重ね合わせた映像をテレビジョン信号に変換してＴＶモニター３に出力して映像表示する。尚、タイムアウトの処理としてブザー等の報知もするとよい。
【００４９】
ステップｄ３;
ステップｄ１においてタイマー残り時間が０でないと判定されたときは、ステップｄ３においてタイマー管理処理部２４は、一定時間待ち状態とし、再度タイマー残り時間が０以下であるかをチェックするためにステップｄ１に戻る。
【００５０】
このような第１の実施形態によれば、ユーザが複数のタイマーを登録することができ、タイマー登録のタイマー時間、タイマー残り時間、タイムアウトの表示をするときに、タイマー登録の件数が所定件数(上記例では１件としたが、これに限定されず表示エリア４５の大きさにより２件、３件などとすることもできる。)以下であればリモコンの表示エリアにタイマー時間、タイマー残り時間、タイムアウトを表示し、タイマー登録件数が所定件数以上であれば放送受信装置にタイマー時間を送信し、ＴＶモニターにタイマー時間、タイマー残り時間、タイムアウトをＯＳＤ表示することで、ユーザに使い勝手のよいリモコン装置・放送受信装置及びタイマー管理方法を提供することができる。
【００５１】
なお、上記第１の実施形態においてタイマー登録する順番で登録番号を付けるのでなく、ユーザが登録番号を選択できその選択した登録番号にタイマー登録することで、タイマー登録がどのような作業や操作に対するタイマーであるかを容易に認識することができる。例えば、コンロの各々の口に番号１、番号２、番号３とつけておき、この番号と図６に示す登録番号を対応させることで、ユーザが判別しやすいキッチンタイマーのタイマー登録をすることができる。
【００５２】
（第２の実施の形態）
本発明の第２の実施形態は、タイマー登録とタイマー残り時間の表示をするときに、タイマーの登録件数にかかわらず、放送受信装置にタイマー時間を送信し、タイマー登録件数が１件であればリモコンの表示エリアにタイマー時間、タイマー残り時間、タイムアウトを表示し、タイマー登録件数が２件以上であればＴＶモニターにタイマー時間、タイマー残り時間、タイムアウトをＯＳＤ表示する実施形態である。第２の実施形態の放送受信装置の機能ブロック図、リモコン４の操作ボタンの概略配置を示したリモコン４の外観図、リモコン４の主要な構成を示す機能ブロック図は、第１の実施形態と同じである。
【００５３】
図１３と図１４は、本発明の第２の実施形態における、タイマー登録とタイマー残り時間表示の処理の流れを示すフローチャートである。図１３はリモコン４のタイマー処理を示すフローチャートであり、図１４は放送受信装置１のタイマー処理を示すフローチャートである。
【００５４】
ユーザが図２に示すリモコン４の電源ボタン４１を押下すると放送受信装置１の電源が投入される。このような放送受信装置１の電源がオンとなっている状態において、ユーザがリモコン４のタイマーボタン４３を押下すると、図３に示すリモコン操作部４０ａは、リモコン４の操作ボタンからの操作信号の判別を行う。タイマーボタン４３が押下された後にチャンネルボタン４６のいずれかのボタンが押下されていればタイマー登録の信号、またはタイマーボタン４３が押下された後に画面表示ボタン４２が押下されていればタイマー残り時間表示の信号をリモコン制御部４０ｂに出力する。リモコン制御部４０ｂはタイマー登録またはタイマー残り時間表示の操作信号が入力されると、リモコンタイマー管理処理部４０ｆのタイマー処理を開始する。
【００５５】
まず、図３に示すリモコン４のリモコン制御部４０ｂのリモコンタイマー管理処理部４０ｆで実行されるタイマー処理を図１３のフローチャートを参照して以下説明する。
【００５６】
ステップｅ１;
リモコン操作部４０ａからタイマー登録の信号、またはタイマー残り時間表示の信号がリモコンタイマー管理処理部４０ｆに入力されタイマー処理が開始されると、ステップｅ１においてリモコンタイマー管理処理部４０ｆは、タイマー登録の操作信号かタイマー残り時間表示の操作信号かをチェックする。
【００５７】
ステップｅ２;
ステップｅ１においてタイマー登録の操作信号であると判定されたときはステップｅ２に進み、タイマー登録の件数をカウントするタイマーカウンタに１を加算する。
【００５８】
ステップｅ３;
ステップｅ３において、リモコンタイマー管理処理部４０ｆは、タイマー登録指令をリモコンコードに変換しリモコン通信部４０ｅに出力する。リモコン通信部４０ｅは、タイマー登録指令のリモコンコードを赤外線信号に変換して放送受信装置１に送信する。
【００５９】
ステップｅ４;
ステップｅ４において、リモコンタイマー管理処理部４０ｆは、ユーザがチャンネルボタン４６を使用して入力したタイマー時間をリモコン操作部４０ａから順々に入力する。リモコンタイマー管理処理部４０ｆは、入力したタイマー時間をリモコンコードに変換し、リモコン通信部４０ｅに出力する。リモコン通信部４０ｅは、タイマー時間のリモコンコードを赤外線信号に変換して放送受信装置１に送信する。
【００６０】
ステップｅ５;
ステップｅ５において、リモコンタイマー管理処理部４０ｆは、ステップｅ４で入力したタイマー時間とタイマー終了時刻(＝現在時刻＋タイマー時間)をメモリ４０ｃに記憶する。
【００６１】
ステップｅ６;
ステップｅ６において、リモコン４にタイマー時間を表示するかを判定するため、リモコンタイマー管理処理部４０ｆは、タイマー登録件数が１件(タイマーカウンタが１)であるかチェックする。タイマー登録件数が１件であると判定されれば、リモコン表示エリア４５にタイマー時間を表示するステップｅ７の処理に進み、タイマー登録件数が２件以上であると判定されれば、リモコン４にタイマー時間を表示しないので本処理を終了する。
【００６２】
ステップｅ７;
ステップｅ７において、リモコンタイマー管理処理部４０ｆは、ステップｅ５で記憶したタイマー時間をメモリ４０ｃから取り出しリモコン表示部４０ｄに出力すると、リモコン表示部４０ｄは表示エリア４５にタイマー時間を表示する。
【００６３】
ステップｅ８;
次にステップｅ８において、リモコンタイマー管理処理部４０ｆは、図１０に示すリモコンのタイムアウト処理を起動し、本処理を終了する。
【００６４】
ステップｅ９;
ステップｅ１においてタイマー登録でないと判定されたときは、タイマー残り時間表示の操作信号であるので、タイマー残り時間の表示をリモコン４か放送受信装置１のどちらに表示するかを判定するために、ステップｅ９においてタイマー登録件数が１件(タイマーカウンタが１)であるかをチェックする。
【００６５】
ステップｅ１０;
ステップｅ９においてタイマー登録件数が１件であると判定されたときはステップｅ１０に進み、リモコンタイマー管理処理部４０ｆは、メモリ４０ｃからタイマー終了時刻を取り出し、タイマー残り時間(＝タイマー終了時刻−現在時刻)を計算し、タイマー残り時間をリモコン表示部４０ｄに出力する。リモコン表示部４０ｄは表示エリア４５にタイマー残り時間を表示する。
【００６６】
ステップｅ１１;
次にステップｅ１１においてリモコンタイマー管理処理部４０ｆは、予め設定した所定時間が経過したかをチェックする。所定時間が経過していると判定されたときは、リモコンタイマー管理処理部４０ｆは、タイマー残り時間の表示を消去し、本処理を終了する。
【００６７】
ステップｅ１２;
ステップｅ１１において所定時間が経過していないと判定されたときはステップｅ１２に進み、リモコンタイマー管理処理部４０ｆは、一定時間待ち状態とし、タイマー残り時間の表示を更新するためにステップｅ１０に戻る。
【００６８】
ステップｅ１３;
ステップｅ９においてタイマー登録件数が２件以上であると判定されたときはステップｅ１３に進み、リモコンタイマー管理処理部４０ｆは、タイマー残り時間ＯＳＤ表示指令をリモコンコードに変換し、リモコン通信部４０ｅに出力する。リモコン通信部４０ｅは、タイマー残り時間ＯＳＤ表示指令のリモコンコードを赤外線信号に変換して放送受信装置１に送信し、本処理を終了する。
【００６９】
ステップｅ３においてリモコン４から送信されたタイマー登録指令、またはステップｅ１３においてリモコン４から送信されたタイマー残り時間ＯＳＤ表示指令の信号である赤外線によるリモコンコードを放送受信装置１のリモコン受信部２０で受信すると、受信した赤外線によるリモコンコードをディジタルデータに変換し、制御部１７に出力する。制御部１７はタイマー登録指令またはタイマー残り時間ＯＳＤ表示指令のデータを入力すると、そのデータをタイマー管理処理部２４に出力しタイマー処理を開始する。以下、放送受信装置１で実行されるタイマー処理を図１４に示すフローチャートのステップ順に基づいて説明する。
【００７０】
ステップｆ１;
まずステップｆ１においてタイマー管理処理部２４は、タイマー登録指令またはタイマー残り時間ＯＳＤ表示指令かをチェックする。タイマー登録指令であれば、メモリ１８にタイマー時間とタイマー終了時刻を記憶するステップｆ２の処理に進み、タイマー残り時間ＯＳＤ表示指令であればタイマー残り時間を記憶するステップｆ６の処理に進む。
【００７１】
ステップｆ２;
ステップｆ２においてタイマー管理処理部２４は、既に登録されている図６に示すタイマー登録データに、リモコン受信部２０から出力されたタイマー時間とタイマー終了時刻(＝現在時刻＋タイマー時間)をタイマー登録データの既に登録されている登録番号の次の登録番号に記憶する。
【００７２】
ステップｆ３;
タイマーの登録件数にかかわらず、放送受信装置１にタイマー時間は送信されるので、タイマー登録件数が２件以上のときにＴＶモニターにタイマー時間をＯＳＤ表示するために、ステップｆ３においてタイマー管理処理部２４は、既にメモリ１８に記憶されている図６に示すタイマー登録データのタイマー登録件数が２件以上であるかチェックする。タイマー登録件数が２件以上であればＴＶモニター３にタイマー時間をＯＳＤ表示するステップｆ４の処理に進み、タイマー登録件数が２件以上でなければステップｆ５の処理に進む。
【００７３】
ステップｆ４;
タイマー管理処理部２４は、タイマー登録のタイマー時間をＴＶモニター３に表示するために、ステップｆ４においてメモリ１８に記憶されている図６に示すタイマー登録データのタイマー時間を取り出し、ＯＳＤ処理部１６にタイマー時間のＯＳＤ表示指令を出力する。ＯＳＤ処理部１６は、図７に示すタイマー登録画面を生成し、タイマー登録画面を表示処理部１５に出力する。表示処理部１５は、映像処理部１４にて復号化された映像データにＯＳＤ処理部１６にて生成されたタイマー登録画面を重ね合わせ、その重ね合わせた映像データをテレビジョン信号に変換してＴＶモニター３に出力して映像表示する。
【００７４】
ステップｆ５;
ステップｆ５においてタイマー管理処理部２４は、図１１に示すタイムアウト処理を起動し、本処理を終了する。
【００７５】
ステップｆ６;
ステップｆ１においてタイマー残り時間表示指令であると判定されたときはステップｆ６に進み、タイマー管理処理部２４は、メモリ１８に記憶されている図６に示すタイマー登録データからタイマー終了時刻を取り出し、タイマー残り時間(＝タイマー終了時刻−現在時刻)を計算し、タイマー残り時間を図８に示すタイマー残り時間データに更新して記憶する。
【００７６】
ステップｆ７;
ステップｆ７においてタイマー管理処理部２４は、タイマー残り時間データをＴＶモニター３に表示するために、メモリ１８からタイマー残り時間データを取り出し、ＯＳＤ処理部１６にタイマー残り時間データのＯＳＤ表示指令を出力する。ＯＳＤ処理部１６は、図９に示すタイマー残り時間画面を生成し、タイマー残り時間画面を表示処理部１５に出力する。表示処理部１５は、映像処理部１４にて復号化された映像データにＯＳＤ処理部１６にて生成されたタイマー残り時間画面を重ね合わせ、その重ね合わせた映像データをテレビジョン信号に変換してＴＶモニター３に出力して映像表示する。
【００７７】
ステップｆ８;
ステップｆ８においてリモコンタイマー管理処理部４０ｆは、予め設定した所定時間が経過したかをチェックする。所定時間が経過していると判定されたときは、リモコンタイマー管理処理部４０ｆは、タイマー残り時間の表示を消去し、本処理を終了する。
【００７８】
ステップｆ９;
ステップｆ８において所定時間が経過していないと判定されたときはステップｆ９に進み、リモコンタイマー管理処理部４０ｆは、一定時間待ち状態とし、タイマー残り時間の表示を更新するためにステップｆ６に戻る。
【００７９】
図１３に示したステップｅ８においてリモコンタイマー管理処理部４０ｆからタイムアウト処理が起動されると、リモコン４のタイムアウト処理が開始される。リモコン４で実行されるタイムアウト処理は、第１の実施形態である図１０に示すタイマー処理と同じである。また、図１４に示したステップｆ５においてタイマー管理処理部２４からタイムアウト処理が起動されると、放送受信装置１のタイムアウト処理が開始される。放送受信装置１で実行されるタイムアウト処理は、第１の実施形態である図１１に示すタイマー処理と同じである。
【００８０】
このような第２の実施形態によれば、ユーザが複数のタイマーを登録することができ、タイマー登録をするときにタイマーの登録件数にかかわらず、放送受信装置にタイマー時間を送信し、タイマー登録の件数が所定件数(上記例では１件としたが、これに限定されず表示エリア４５の大きさにより２件、３件などとすることもできる。)以下であればリモコンの表示エリアにタイマー時間、タイマー残り時間、タイムアウトを表示し、タイマー登録件数が所定件数以上であればＴＶモニターにタイマー時間、タイマー残り時間、タイムアウト残り時間をＯＳＤ表示することで、ユーザに使い勝手のよいリモコン装置・放送受信装置及びタイマー管理方法を提供することができる。
【００８１】
（第３の実施の形態）
本発明の第３の実施形態は、タイマー登録のキャンセルを行うときに、タイマー登録の件数が１件であればリモコンからタイマー登録をキャンセルし、タイマー登録の件数が２件以上であればＴＶモニターからタイマー登録をキャンセルする実施形態である。第３の実施形態の放送受信装置の機能ブロック図、リモコン４の操作ボタンの概略配置を示したリモコン４の外観図、リモコン４の主要な構成を示す機能ブロック図は、第１の実施形態と同じである。
【００８２】
以下、本発明の第３の実施形態について説明する。
ユーザが図２に示すリモコン４の電源ボタン４１を押下すると放送受信装置１の電源が投入される。このような放送受信装置１の電源がオンとなっている状態において、ユーザがリモコン４のタイマーボタン４３を押下しその後に画面表示ボタン４２を押下すると、タイマー登録件数が１件であれば表示エリア４５にタイマー残り時間が表示され、タイマー登録の件数が２件以上であればＴＶモニター３に図９に示すタイマー残り時間画面がＯＳＤ表示される。表示エリア４５にタイマー残り時間が表示されているときに、ユーザがキャンセルボタン４４を押下すると、表示されたタイマー残り時間のタイマー登録がキャンセルされる。ＴＶモニター３に図９に示すタイマー残り時間画面がＯＳＤ表示されているときに、ユーザがキャンセルボタン４４を押下し、カーソル移動ボタン４７ａ〜４７ｄによりキャンセルする登録番号を選択し決定ボタン４８を押下することで、登録番号のタイマー登録がキャンセルされる。
【００８３】
このような第３の実施形態によれば、ユーザが複数のタイマーを登録することができ、タイマー登録のキャンセルを行うときに、タイマー登録件数が所定件数以上であればＴＶモニターからタイマー登録をキャンセルすることで、ユーザに使い勝手のよいリモコン装置・放送受信装置及びタイマー管理方法を提供することができる。以上実施の形態により具体的に説明したが、本発明はこれら実施の形態に限定されない。
【産業上の利用可能性】
【００８４】
本発明は、放送受信装置及び放送受信装置におけるタイマー方法に好適であるが、放送受信装置及び放送受信装置におけるタイマー方法に限られるものではない。
【図面の簡単な説明】
【００８５】
【図１】本発明の放送受信装置の機能ブロック図
【図２】本発明のリモコンによる操作を説明するためのリモコン外観図
【図３】本発明のリモコンの機能ブロック図
【図４】本発明の第１の実施形態であるリモコンのタイマー処理を示すフローチャート
【図５】本発明の第１の実施形態である放送受信装置のタイマー処理を示すフローチャート
【図６】本発明のタイマー登録データの一例を示す図
【図７】本発明の放送受信装置にＯＳＤ表示されるタイマー登録画面の一例を示す図
【図８】本発明のタイマー残り時間データの一例を示す図
【図９】本発明の放送受信装置にＯＳＤ表示されるタイマー残り時間画面の一例を示す図
【図１０】本発明のリモコンのタイムアウト処理を示すフローチャート
【図１１】本発明の放送受信装置のタイムアウト処理を示すフローチャート
【図１２】本発明の放送受信装置にＯＳＤ表示されるタイムアウト画面の一例を示す図
【図１３】本発明の第２の実施形態であるリモコンのタイマー処理を示すフローチャート
【図１４】本発明の第２の実施形態である放送受信装置のタイマー処理を示すフローチャート
【符号の説明】
【００８６】
１・・・放送受信装置
２・・・アンテナ
３・・・ＴＶモニター
４・・・リモコン
１１・・・デジタルチューナ
１２・・・ＴＳデコーダ(ＤeＭｕｘ処理部)
１３・・・音声処理部
１４・・・映像処理部
１５・・・表示処理部
１６・・・ＯＳＤ処理部
１７・・・制御部
１８・・・メモリ
１９・・・ＨＤＤ(ハードディスクドライブ)
２０・・・リモコン受信部
２１・・・電源
２２・・・電源制御部
２３・・・システムバス
２４・・・タイマー管理処理部
４０ａ・・リモコン操作部
４０ｂ・・リモコン制御部
４０ｃ・・メモリ
４０ｄ・・リモコン表示部
４０ｅ・・リモコン通信部
４０ｆ・・リモコンタイマー管理処理部
４１・・・電源ボタン
４２・・・画面表示ボタン
４３・・・タイマーボタン
４４・・・キャンセルボタン
４５・・・表示エリア
４６・・・チャンネルボタン
４７ａ・・カーソル移動ボタン(上)
４７ｂ・・カーソル移動ボタン(下)
４７ｃ・・カーソル移動ボタン(左)
４７ｄ・・カーソル移動ボタン(右)
４８・・・決定ボタン
【図１】
2009094875.tif 000003
【図２】
2009094875.tif 000004
【図３】
2009094875.tif 000005
【図４】
2009094875.tif 000006
【図５】
2009094875.tif 000007
【図６】
2009094875.tif 000008
【図７】
2009094875.tif 000009
【図８】
2009094875.tif 000010
【図９】
2009094875.tif 000011
【図１０】
2009094875.tif 000012
【図１１】
2009094875.tif 000013
【図１２】
2009094875.tif 000014
【図１３】
2009094875.tif 000015
【図１４】
2009094875.tif 000016